(57)【要約】【課題】本考案は介護施設等で介護を必要とする人が入浴する際、プライバシーが保護され、更に、明るい雰囲気の中で心地よくゆったりと入浴できる入浴カバーを提供するものである。【解決手段】入浴する際に少なくとも胸部や陰部を隠す前掛けカバーであって、そのカバーの素材は肌触りと水切りが良く浴中で沈む特性を有する生地で作り、該カバーには首部から吊り下げる手段が設けられている。更に前記カバーの面内に通気孔・通水孔を設けて、浴槽の中でカバーが浮いたり漂ったりして、洗身の妨げとならないよう沈ませる手段を講じたことを特徴とした入浴カバーである。【選択図】  図１
0003132306.tif 000002
【実用新案登録請求の範囲】
【請求項１】
入浴する際に少なくとも胸部や陰部を隠す前掛けカバーであって、該カバーには首部から吊り下げる手段が設けられ、更に前記カバーの面内に通気孔および通水孔を設けたことを特徴とする入浴カバー。
【請求項２】
入浴する際に少なくとも胸部や陰部を隠す前掛けカバーであって、その素材がポリエステルニット裏起毛やポリエステルタフタ裏起毛のような肌触りと水切りが良く浴中で沈む特性を有する生地で作り、該カバーには首部から吊り下げる手段が設けられていることを特徴とした入浴カバー。
【請求項３】
入浴する際に少なくとも胸部や陰部を隠す前掛けカバーであって、そのカバーの素材は浴中に沈む特性を有する生地と、肌触りと水切りが良い特性を有する生地とを重ねて作り、該カバーには首部から吊り下げる手段が設けられていること特徴とした入浴カバー。
【請求項４】
請求項１乃至３記載のいずれか１項記載の入浴カバーにおいて、カバーの両側に複数個の錘が取りつけられていることを特徴とした入浴カバー。
【請求項５】
請求項４記載の入浴カバーにおいて、錘が鈴であることを特徴とした入浴カバー。
【請求項６】
請求項４記載の入浴カバーにおいて、錘がボールチエーンであることを特徴とした入浴カバー。
【請求項７】
入浴する際に少なくとも胸部や陰部を隠す前掛けカバーであって、該カバーは不織布を用い、通気孔および通水孔を多数開け、更に前記カバーの周縁部一箇所以上に錘を取りつけることを特徴とした入浴カバー。
【考案の詳細な説明】
【技術分野】
【０００１】
本考案は介護施設等で介護を必要とする人が入浴する際、前掛けをしてもらって胸部や陰部が透けて他人に見られないようにプイバシーが保護され、明るい雰囲気の中で心地よくゆったりと入浴できる入浴カバーに関するものである。
【背景技術】
【０００２】
多くの介護施設で体の不自由な人を入浴させる際は、複数の介護職員によって大がかりな入浴装置や入浴補助具を使用して行われている。
しかしながら、人の手による洗身は温みのある入浴と思われがちであるが、中には身体的悩みのある人や胸部や陰部を見られる等の羞恥心が働き入浴を拒む事もあるとの苦情が聞かれる。
本考案は、介護を要する人が、明るい雰囲気の中で楽しくゆったりと心地よく入浴のサービスを受けられる入浴カバーを提供する。
【考案の開示】
【考案が解決しようとする課題】
【０００３】
そこで、本考案を開発するにあたり種々テストした結果、次のような機能を要するカバーが最適であることを知見した。
１．カバーが浴槽の中を浮いて漂ったりせずに自然に沈む生地か、又は、沈ませる手段を講じ、しかも洗身の妨げにならないこと。
２．介護職員から少なくとも胸部と陰部が透けて見られない生地を用い胴体から大腿部を覆うエプロン型カバーであること。
３．入浴前にカバーを装着した時や、湯あがり後、濡れたカバーで身体にひんやり感（冷感）を生じないもの。
４．カバーを装着することによって明るい雰囲気になり楽しく、しかも癒し感を得るデザインであること。
５．体型に合わせるようにカバーの位置（胸部や陰部の位置）を手軽に調整することが出来ること。
そこで、本考案は上記の課題に適合した入浴カバーを提供するものである。  
【課題を解決するための手段】
【０００４】
上記の課題を鑑みて、次のように構成した入浴カバーを考案した。
１．カバーが浴槽の中に漂うことなく自然に沈む生地で胴体から大腿部を覆うエプロン型カバーで、しかも洗身の妨げにならないために、例えば、ポリエステルニット裏起毛やポリエステルタフタ裏起毛のような生地を使用した。
上記に列挙した生地は本考案の技術範囲を特定する素材ではなく、上記の生地のような特性（品質）を有する生地（素材）であれば如何なる生地（素材）でもよい。
また、沈ませる手段として、カバー両側に錘を取りつけてもよい。特に、錘として鈴を取りつけると、入浴前後の鈴の音が癒しの効果を得る。
又、ボールチェーンをカバーの周辺に取りつけてもよい。
尚、沈ませる他の手段として図１に示すようなエプロン型カバーにし、胸部と陰部以外の一部に水抜き、空気抜きとして通水孔・通気孔を設けてもよい。本発明は通水孔・通気孔としてメッシュを使用してもよい。
【０００５】
２．入浴前にカバーを装着した時と、湯あがり後、濡れたカバーで身体にひんやり感を与えないために、水切りが良い前述のような生地が要求される。
上記に列挙した生地は前述のような本考案の技術範囲を特定する素材ではなく、上記の生地のような特性（品質）を有する生地（素材）であれば如何なる生地（素材）でもよい。
【０００６】
尚、上記のような１枚の生地だけで構成する以外に、浴中に沈む特性を有する生地と、肌触りと水切りが良い特性を有する生地とを重ね縫いしてもよい。上記の生地を特定するものではない。
【０００７】
３．カバーを装着することによって明るい雰囲気になり楽しく、しかも癒し感を得るように、  図１、図２に示すような絵柄を入れたり、明るい色彩を施したり、心のなごむ言葉や記号等を入れてもよい。
【０００８】
４．体型に合うようにカバーの吊り下げ位置を手軽に調整出来るように図のような調整手段を講じた。
図１のようにカバーの上部にボタンホールつきゴム紐とボタンをつけた。
図２は寸法調節可能なとめ具と紐を用いた実施例を示す。
図３はゴム紐を用いた実施例を示す。
図４は不織布で作ったカバーで、首部両側を延設して結ぶようにした実施例を示す。
カバーの吊り下げ手段は図示しないが、面ファスナーを設けて首部左右をとめてもよい。
【０００９】
感染症等の予防として、不織布を用いて使い捨ての物でもよい。しかし、環境に配慮すれば、繰り返し使用できる布製が安価でよい。サイズは大・小あるとよい。
裏起毛の化繊や布の表が平織、裏がタオルのような合わせ織りなど装着した時ひんやり感がないものを用いてもよい。
又は、薄くて張りがあり、乾きやすく肌触りのよい生地でもよい。ぬれても保温性を維持できるような生地ならなおよい。
【００１０】
図３のようにカバーの下部に（脚部のつけ根にそう位置）に細長い袋を縫いつけて、該袋内に錘を入れる構造にしてもよい。
【考案の効果】
【００１１】
これまで介護施設ではプライバシーの保護までは配慮されないことが多かったが、本考案のカバーでは次のような効果が生じる。
１．通常のタオルをあてがうだけではタオルが浮いて漂い、かえって邪魔になっていたが本考案のカバーによって種々の問題を解決した。
２．入浴者は１枚のカバーを掛けられると、胸部と陰部を同時に覆うことができ、プライパシーが保護され気分よく入浴サービスをうけることがきる。介助する側も扱いが簡単で作業しやすく、乾きもよく繰り返し使用できて便利である。
３．カバーを容易に沈ませる錘として鈴をカバーの両側につけることによって、入浴前後の鈴の音が一段と癒し効果を助長させる。
４．ボールチェーンをカバーの周縁部に取りつける。又は、トリミングテープ内に縫いつけると洗身作業の邪魔にならない。
５．カバーの下部に（脚部のつけ根にそう位置）に細長い袋を縫いつけて、該袋内に錘を入れると、カバーが脚部にフイットし体位を変えてもずれ難い効果がある。
【考案を実施するための最良の形態】
【００１２】
本考案のいくつかの例を次に示す。
【実施例１】
【００１３】
図１は、本考案の例で、浴中を漂わず自然に沈下し、しかも冷感を生じない生地として、ポリエステルタフタ裏起毛の生地で作った。
更に、通気と通水効果・明るい雰囲気・楽しみと癒し感を得るために温泉マークをイメージする笑顔、のびのびと両手両足を伸ばしリラックスした状態の絵柄３にしメッシュ４を部分的に使用したものである。
又、襟ぐり２には、ボタンホールつきゴム紐５とボタン６をつけた。
尚、沈下を良くする為に、錘として鈴１２をカバーの両側に複数個取りつけたものである。
鈴は相乗効果として鈴の音が入浴者に癒しを与えるというアンケート結果が得られた。
【実施例２】
【００１４】
図２は、本考案の例で、浴中に沈む特性を有する生地１ａと肌触りと水切りが良い特性を有する生地１ｂとを重ねてカバー１を作った。
尚、沈下を良くする為に、ボールチェーン１１をカバーの両側に複数個取りつけ、通気孔・通水孔として、部分的にメッシュ４を設けた。
更に、襟ぐり２には寸法調節可能なとめ具７と紐８を用いた。
又、心のなごむ言葉を面内に入れてもよい。
【実施例３】
【００１５】
図３は、本考案の例で、首部を包囲する襟ぐりをなくし、ゴム紐９を頭部に通して首に掛けるだけのシンプルな場合を例示した。
尚、ポリエステルニット裏起毛生地を使用して、カバーの下部には（脚部のつけ根にそう位置）に細長い袋１７を縫いつけて、該袋内に錘１０を入れたものである。
【実施例４】
【００１６】
図４は、本考案の例で、不織布１８を用い通水・通気用に小孔を多数開け、該カバーの周縁部に錘用として取り外し容易なクリップ機能つき錘１３を装着したものである。
【図面の簡単な説明】
【００１７】
【図１】本考案の第１実施例を示す平面図である。
【図２】本考案の第２実施例を示す平面図である。
【図３】本考案の第３実施例を示す平面図である。
【図４】本考案の第４実施例を示す平面図である。
【図５】本考案の使用状態を示す参考図である。
【符号の説明】
【００１８】
１    カバー
１ａ  浴中に沈む特性を有する生地
１ｂ  肌触りと水切りがよい特性を有する生地
２    襟ぐり
３    絵柄
４    メッシュ
５    ボタンホールつきゴム紐
６    ボタン
７    寸法調節可能なとめ具
８    紐
９    ゴム紐
１０    錘
１１    ボールチエーン
１２    鈴
１３    クリップ機能つき錘
１４    トリミング
１５    孔
１６    浴槽
１７    細長い袋
１８    不織布
【図１】
0003132306.tif 000003
【図２】
0003132306.tif 000004
【図３】
0003132306.tif 000005
【図４】
0003132306.tif 000006
【図５】
0003132306.tif 000007